(57)【特許請求の範囲】
【請求項１】
スチールコードが巻き取られた複数のリールがセットされており、前記複数のリールの
それぞれから前記スチールコードを引き出すクリールスタンドと、
引き出された複数の前記スチールコードを整列させるコムロールと、
整列された前記スチールコードにゴムを被覆してゴムシート材料を形成するカレンダー
ロールとを備えたゴムシート材料の製造装置であって、
さらに、前記クリールスタンドと前記コムロールとの間に設けられており、引き出され
た前記スチールコードに掛かる荷重を測定する荷重測定手段と、
測定された荷重に基づいて、スチールコードの伸びの増加に伴い増加した前記スチールコードに掛かる荷重を制御する荷重制御手段とが備えられていることを特徴とするゴムシート材料の製造装置。
【請求項２】
前記荷重測定手段が、前記クリールスタンドと前記コムロールとの間に設けられたロー
ドセルであることを特徴とする請求項１に記載のゴムシート材料の製造装置。
【請求項３】
前記クリールスタンドに前記リールの回転を制動するブレーキが設けられており、
前記荷重制御手段が、
前記ロードセルで測定された荷重が予め設定された荷重以上の場合には前記ブレーキの
圧力を弱くし、予め設定された荷重未満の場合には前記ブレーキの圧力を強くして、前記
スチールコードに掛かる荷重を制御する荷重制御手段であることを特徴とする請求項２に
記載のゴムシート材料の製造装置。
【請求項４】
請求項１ないし請求項３のいずれか１項に記載のゴムシート材料の製造装置を用いて、
前記スチールコードにゴムが被覆されたゴムシート材料を形成するゴムシート材料の製造
方法であって、
前記クリールスタンドと前記コムロールとの間を搬送される前記スチールコードに掛か
る荷重を測定し、
測定された荷重に基づいて搬送中の前記スチールコードに掛かる荷重を制御することを
特徴とするゴムシート材料の製造方法。
【発明の詳細な説明】
【技術分野】
【０００１】
本発明は、スチールコードをトッピングゴムで被覆することによりゴムシート材料を製造するゴムシート材料の製造装置および製造方法に関する。
【背景技術】
【０００２】
空気入りタイヤ（以下、単に「タイヤ」ともいう）の製造工程においては、配列された複数のスチールコードにトッピングゴムを被覆することにより製造された種々のゴムシート材料が使用されている。
【０００３】
一般に、このスチールコードには、残留トーションと呼ばれる癖が付いており、このような癖を有するスチールコードを用いてゴムシート材料を製造した場合、次工程であるバイアス工程においてゴムシート材料に反り（シートカール）が慢性的に発生して、タイヤの生産性を阻害する一因ともなっていた。
【０００４】
そこで、従来より、シートカールを解消させる技術が種々提案されている（例えば、特許文献１、２）。
【先行技術文献】
【特許文献】
【０００５】
【特許文献１】特許第５５８７７５８号公報
【特許文献２】特開２０１４−１７６９９１号公報
【発明の概要】
【発明が解決しようとする課題】
【０００６】
しかしながら、これらの技術によっても、シートカールの発生は未だ十分に抑制されているとは言えず、さらなる改善が求められている。
【０００７】
そこで、本発明は、シートカールの発生を十分に抑制すると共に、また、シートカールが発生したとしてもそのバラツキの程度を小さくすることにより、空気入りタイヤの生産性を向上させることができるゴムシート材料の製造装置および製造方法を提供することを課題とする。
【課題を解決するための手段】
【０００８】
本発明者は、鋭意検討を行い、以下に記載する発明により上記課題が解決できることを見出し、本発明を完成させるに至った。
【０００９】
請求項１に記載の発明は、
スチールコードが巻き取られた複数のリールがセットされており、前記複数のリールの
それぞれから前記スチールコードを引き出すクリールスタンドと、
引き出された複数の前記スチールコードを整列させるコムロールと、
整列された前記スチールコードにゴムを被覆してゴムシート材料を形成するカレンダー
ロールとを備えたゴムシート材料の製造装置であって、
さらに、前記クリールスタンドと前記コムロールとの間に設けられており、引き出され
た前記スチールコードに掛かる荷重を測定する荷重測定手段と、
測定された荷重に基づいて、スチールコードの伸びの増加に伴い増加した前記スチールコードに掛かる荷重を制御する荷重制御手段とが備えられていることを特徴とするゴムシート材料の製造装置。
【００１０】
請求項２に記載の発明は、
前記荷重測定手段が、前記クリールスタンドと前記コムロールとの間に設けられたロードセルであることを特徴とする請求項１に記載のゴムシート材料の製造装置である。
【００１１】
請求項３に記載の発明は、
前記クリールスタンドに前記リールの回転を制動するブレーキが設けられており、
前記荷重制御手段が、
前記ロードセルで測定された荷重が予め設定された荷重以上の場合には前記ブレーキの圧力を弱くし、予め設定された荷重未満の場合には前記ブレーキの圧力を強くして、前記スチールコードに掛かる荷重を制御する荷重制御手段であることを特徴とする請求項２に記載のゴムシート材料の製造装置である。
【００１２】
請求項４に記載の発明は、
請求項１ないし請求項３のいずれか１項に記載のゴムシート材料の製造装置を用いて、前記スチールコードにゴムが被覆されたゴムシート材料を形成するゴムシート材料の製造方法であって、
前記クリールスタンドと前記コムロールとの間を搬送される前記スチールコードに掛かる荷重を測定し、
測定された荷重に基づいて搬送中の前記スチールコードに掛かる荷重を制御することを特徴とするゴムシート材料の製造方法である。
【発明の効果】
【００１３】
本発明によれば、シートカールの発生を十分に抑制すると共に、また、シートカールが発生したとしてもそのバラツキの程度を小さくすることにより、空気入りタイヤの生産性を向上させることができるゴムシート材料の製造装置および製造方法を提供することができる。
【図面の簡単な説明】
【００１４】
【図１】本発明の一実施の形態に係るゴムシート材料の製造装置を模式的に示す図である。
【発明を実施するための形態】
【００１５】
以下、本発明を実施の形態に基づき、図面を参照して説明する。
【００１６】
１．本発明に至る経緯
本発明者は、シートカールの発生について種々の検討を行った。
【００１７】
その結果、スチールコードの引き出し開始から終了までの間でシートカールの程度に変化があることから、スチールコードの性質である力と伸びの関係に着目した。即ち、元々、スチールコードを引き出す際、クリールスタンドに掛かるブレーキ圧が一定であり、スチールコードが引き出されるに従ってシートカールの程度が増加していることから、スチールコードが少なくなるにつれて引き出されたスチールコードの伸びが増加し、この伸びを元に戻そうと大きなテンションが作用して、これがシートカールの程度を増加させていると考えた。
【００１８】
そして、この考えに基づいてクリールスタンドから引き出されたスチールコードに掛かる荷重を測定したところ、従来のクリールスタンドに掛かるブレーキ圧が一定の場合、スチールコードの引き出し開始から終了に進むに従ってスチールコードに掛かる荷重が増加していることが確認され、上記の考えが正しいことが確認できた。
【００１９】
本発明者は、この知見に基づいて、スチールコードに掛かる荷重を一定に維持する制御を行うことにより、スチールコードのテンションを適切な状態に保ってゴムシート材料を製造すれば、シートカールの発生が十分に抑制されて、残留トーションも解消されることを見出し、本発明を完成させるに至った。
【００２０】
即ち、本発明に係るゴムシート材料の製造装置は、クリールスタンドから引き出されたスチールコードに掛かる荷重を測定し、その測定結果に基づいてスチールコードに掛かる荷重を制御することを特徴とするゴムシート材料の製造装置である。
【００２１】
このように、スチールコードの荷重を測定することによりスチールコードのテンションを知ることができる。具体的には、スチールコードのテンションが高い場合には荷重が大きく測定され、テンションが低い場合には荷重が小さく測定される。このため、測定結果をフィードバックさせてスチールコードの荷重を制御することによりスチールコードのテンションを適切に制御することができる。その結果、シートカールの発生を十分に抑制することができる。
【００２２】
２．本実施の形態に係るゴムシート材料の製造装置
図１は本実施の形態に係るゴムシート材料の製造装置を模式的に示す図である。
【００２３】
本実施の形態に係るゴムシート材料の製造装置１は、従来の装置と同様に、複数のリール３のそれぞれからスチールコード２を引き出すクリールスタンド４と、クリールスタンド４から引き出されたスチールコード２を整列させるコムロール５と、整列されたスチールコード２にトッピングゴムＧを被覆してゴムシート材料１２を形成するカレンダーロール６とを備えている。なお、図１中の符号７はワイヤ整列部、８はプルロール部、９はクーリング部、１０は搬送ロール、１１は巻取り部である。
【００２４】
スチールコード２は、前記したように、複数のスチールフィラメントが撚り合わされることにより構成されており、リール３に巻き取られた状態でクリールスタンド４にセットされている。なお、本実施の形態において、クリールスタンド４には、リール３の回転を制動するブレーキ（図示省略）が設けられている。
【００２５】
そして、本実施の形態に係るゴムシート材料の製造装置１では、さらに、クリールスタンド４とコムロール５との間に、スチールコード２の荷重を測定する荷重測定手段としてロードセル１３が設けられており、このロードセル１３により測定された荷重に基づいてスチールコード２に掛かる荷重を制御する荷重制御手段（図示省略）を備えている。
【００２６】
具体的には、ロードセル１３は、クリールスタンド４から引き出されてカレンダーロール６に向けて搬送されるスチールコード２が、表面を押えるように配置されている。これにより、スチールコード２に掛かるテンションを荷重データとして測定することができる。
【００２７】
そして、ロードセル１３は図外の荷重制御手段に接続されており、測定された荷重データが荷重制御手段に送信される。
【００２８】
荷重制御手段には、スチールコード２の種類に応じた好ましい荷重が設定荷重として予め設定されており、ロードセル１３から送信された荷重データと設定荷重とを比較し、その結果に基づいてクリールスタンド４においてリール３の回転を制動するブレーキの圧力を調整することにより、スチールコード２に掛かる荷重をフィードバック制御することができる。
【００２９】
具体的には、荷重制御手段は、ロードセル１３で測定された荷重が設定荷重以上の場合、リール３へのブレーキの圧力を弱くする制御を行う。即ち、測定された荷重が大きいことはスチールコード２のテンションが強いことを示しているため、リール３へのブレーキの圧力を弱めてスチールコード２のテンションを緩めることにより荷重を小さくさせて、スチールコード２のテンションを適切なテンションに調整する。
【００３０】
一方、ロードセル１３で測定された荷重が設定荷重未満の場合、リール３へのブレーキの圧力を強くする制御を行う。即ち、測定された荷重が小さいことはスチールコード２のテンションが弱いことを示しているため、リール３へのブレーキの圧力を強めてスチールコード２のテンションを高めることにより荷重を大きくさせて、スチールコード２のテンションを適切なテンションに調整する。
【００３１】
以上のように、本実施の形態によれば、スチールコードに掛かる荷重を測定し、その測定結果に基づいてスチールコードに掛かる荷重をフィードバック制御することにより、スチールコードのテンションを適切な状態に維持することができるため、次工程であるバイアス工程においてゴムシート材料にシートカールが生じることを十分に抑制することができる。この結果、タイヤの製造工程における生産性を従来よりも向上させることができる。
【００３２】
また、スチールコードの荷重が設定荷重周辺に制御されるため、シートカールが発生したとしても、発生したシートカールのばらつきを従来から２０％程度低減させることができるため、生産性を従来よりも向上させることができると共に、製造後のタイヤの製品精度を向上させることができる。
【００３３】
また、本実施の形態においては、ゴムシート材料の製造に際してスチールコードのテンションを適切な状態に維持することができるため、残留トーションにバラツキが生じ易い比較的に安価なスチールコードを使用しても、シートカールの発生を十分抑制することができ、製造工程におけるコスト低減に大きく貢献することもできる。
【実施例】
【００３４】
次に、実施例により、本発明をより具体的に説明する。
【００３５】
１．実験１
実験１においては、直径φが１．０２ｍｍ相当の市販のスチールコードＡを用いてゴムシート材料を製造し、発生したシートカールの程度とそのバラツキについて測定した。
【００３６】
（１）実施例および比較例
（ａ）実施例１〜３
上記した実施の形態に係るゴムシート材料の製造装置を用い、ロードセル１３の測定結果に基づいてスチールコードに掛かる荷重をフィードバック制御しながら、１００００ｍ分のゴムシート材料を製造した。なお、実施例１〜３では、表１に示す設定荷重とし、実荷重が表１に示す範囲に収まるように制御した。
【００３７】
（ｂ）比較例
スチールコードに掛かる荷重をフィードバック制御しない従来のゴムシート材料の製造装置を用いたことを除いて、実施例１〜３と同じ条件でゴムシート材料を製造した。このとき、実荷重は表１に示す範囲となっていた。
【００３８】
（２）評価
次工程であるバイアス工程において生じたシートカールの程度（ｍｍ）を１０００ｍごとに測定した。結果を表１に示す。なお、表１中の「＋」は時計周りの方向に生じたシートカールを示しており、「−」は反時計回りの方向に生じたシートカールを示している。
【００３９】
また、測定されたシートカールの絶対値の最大値と最小値の差（Ｒ）をバラツキとして算出した。算出結果を合わせて表１に示す。
【００４０】
【表１】
0006664653.tif 000002
【００４１】
表１より、スチールコードに掛かる荷重のフィードバック制御を行った実施例１〜３においては、スチールコードに掛かる実荷重が設定荷重を中心値とした狭い範囲に収まっており（実施例１、２では−２００〜＋２００Ｎ、実施例３では−２５０〜＋２００Ｎ）、発生したシートカールが１．０ｍｍを下回る小さな幅に管理されていることが分かる。
【００４２】
これに対して、比較例においては、スチールコードに掛かる実荷重が１０００Ｎの幅で大きく変化しており、発生したシートカールも３．３ｍｍと大きな幅となっていることが分かる。
【００４３】
以上の結果より、実施例３のように、設定荷重を適切に設定して、スチールコードに掛かる荷重をフィードバック制御することにより、シートカールの発生を十分に抑制でき、生産性の向上を図ることができることが確認できた。
【００４４】
また、実施例１、２のように、シートカールが発生したとしても、スチールコードに掛かる荷重をフィードバック制御することにより、そのバラツキを小さくでき、生産性の向上を図ることができることが確認できた。
【００４５】
２．実験２
実験２においては、種類が異なる複数のスチールコードを用い、各々のスチールコードの種類に応じて設定荷重を変化させてゴムシート材料を製造した。
【００４６】
（１）実施例４
上記した実施例３と同様に、上記した実施の形態に係るゴムシート材料の製造装置において、スチールコードＡを用いてゴムシート材料を製造した。なお、フィードバック制御における設定荷重は５０００Ｎに設定した。
【００４７】
（２）実施例５
直径φが０．５９ｍｍ相当の市販のスチールコードＢを用い、設定荷重を３０００Ｎに設定したことを除いて、実施例４と同じ条件でゴムシート材料を製造した。
【００４８】
（３）実施例６
スチールコードＢとは構成が異なるが、直径φが０．５９ｍｍ相当の市販のスチールコードＣを用い、設定荷重を３９００Ｎに設定したことを除いて、実施例４と同じ条件でゴムシート材料を製造した。
【００４９】
（４）実施例７
スチールコードＢ、Ｃとは構成が異なるが、直径φが０．５９ｍｍ相当の市販のスチールコードＤを用い、設定荷重を４９００Ｎに設定したことを除いて、実施例４と同じ条件でゴムシート材料を製造した。
【００５０】
【表２】
0006664653.tif 000003
【００５１】
表２より、実施例４〜７では何れにおいても、シートカールの程度が１．０ｍｍ以下に抑制されており、シートカールの最小値と最大値の差Ｒも１．０ｍｍ以下に抑制されており、シートカールが小さく、均質なゴムシート材料が製造されていることが確認できた。
【００５２】
このことから、荷重制御手段に設定する設定荷重をスチールコードの種類に応じて適切な値に設定して、測定された荷重に基づいてスチールコードに掛かる荷重をフィードバック制御することにより、シートカールの発生を適切に抑制して、生産性の向上を図ることができることが確認できた。
【００５３】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００５４】
１    ゴムシート材料の製造装置
２    スチールコード
３    リール
４    クリールスタンド
５    コムロール
６    カレンダーロール
７    ワイヤ整列部
８    プルロール部
９    クーリング部
１０  搬送ロール
１１  巻取り部
１２  ゴムシート材料
１３  ロードセル
Ｇ    トッピングゴム
【図１】
0006664653.tif 000004